(57)【要約】【課題】従来は仮設電源装置を接続する時、すでに充電中である既設電源装置から既設負荷装置に接続されている既設電源ケーブルの被覆を切り取り、仮設電源装置からの電源ケーブルも被覆も切り取り、両者をボルトコネクタで接続している。これは非常に危険が伴い、しかも長い作業時間を費やした。【解決手段】既設電源装置に設置されている盤内端子台に電磁式仮設電源接続端子或いはネジ式仮設電源接続端子を使用して、仮設電源装置を安全に接続可能である。又作業時間の大幅な短縮が出来る。【選択図】図５
2007066780.tif 000002
【特許請求の範囲】
【請求項１】
電源側ケーブルに連結された電源側ケーブル接続端子と負荷側ケーブルに連結された負荷側ケーブル端子とを結ぶ導電部に前記電源側ケーブル接続端子を締結する電源側締結部材または前記導電部に前記負荷側ケーブル端子を締結する負荷側締結部材のうち一方の締結部材を包囲して前記電源側ケーブル接続端子または前記負荷側ケーブル端子に装着される導電接触子と、前記電源側締結部材または前記負荷側締結部材のうち前記導電接触子に包囲された締結部材とともに磁気回路の一要素として構成されて、前記導電接触子に往復動自在に固定された電磁接触子と、前記電磁接触子に配設されて直流電源から直流電力の供給を受けたときに前記磁気回路の各要素に電磁力を付与する電磁コイルとをそれぞれ一対ずつ備え、前記電磁コイルから前記電磁接触子に電磁力が付与されたときに、前記電磁接触子の移動により、前記導電接触子を前記電源側ケーブル端子または前記負荷側ケーブル端子に圧着させて、前記直流電源からの直流電力を前記導電接触子を介して前記電源側ケーブル端子または前記負荷側ケーブル端子に供給してなる仮設電源接続装置。
【請求項２】
電源側ケーブルに連結された電源側ケーブル接続端子と負荷側ケーブルに連結された負荷側ケーブル端子とを結ぶ導電部に前記電源側ケーブル接続端子を締結する電源側締結部材または前記導電部に前記負荷側ケーブル端子を締結する負荷側締結部材の頭部に締結される複数の接続端子を備え、前記各接続端子には、直流電源に接続された仮設電源ケーブルを締結するための締結部が形成されており、前記直流電源からの直流電力を前記仮設電源ケーブルと前記接続端子を介して前記電源側ケーブル端子または前記負荷側ケーブル端子に供給してなる仮設電源接続装置。
【発明の詳細な説明】
【技術分野】
【０００１】
本発明は、電源側ケーブルに連結された電源側ケーブル接続端子及び負荷側ケーブルに連結された負荷側ケーブル端子を収納する盤内端子台と仮設電源装置とを接続するための仮設電源接続装置に関する。
【背景技術】
【０００２】
従来、電力系統からの電力を負荷に供給するに際して、例えば、図１に示すように、盤内に電源装置１と蓄電池２を設置するとともに、蓄電池２を充電するための充電装置を設置し、電源装置１と蓄電池２から負荷装置３に電力を供給する構成が採用されている。図１は既設電源装置１、既設蓄電池２、既設負荷装置3及び仮設電源装置４の概略構成を示す。なお、既設電源装置１には既設蓄電池２を常に充電するために充電装置が設置され、その接続の為に盤内端子台５が設置されている。それ故、通常は既設電源装置１と既設蓄電池２と既設負荷装置は常に並列に接続され運転している。本発明はすでに運転中のこの既設電源装置１の盤内端子台５へ仮設電源装置４を接続し並列運転する時に使用する電源を仮設電源装置４と呼ぶ。既設電源装置装置１は非常用も兼ねているので停電あるいは既設電源装置1の故障などにより既設負荷装置３への電源供給が遮断しないように既設蓄電池２が並列に接続されている。この既設蓄電池２を更新する時、或いは既設電源装置１を作業の為、運転を停止する時一時的に既設電源装置１が停止する。このような時でも既設負荷装置３に電源供給が停止しないように並列に接続する仮設電源装置４が必要となる。この仮設電源装置４を盤内端子台５に接続する為に、従来、図２に示す方法が採用されていた。好適に使用し得る仮設電源接続端子に関するものである。この仮設電源接続端子には電磁式仮設電源接続端子とネジ式仮設電源接続端子の二つの種類がある。
【０００３】
図２は従来、仮設電源装置４を接続する方法は既設電源装置１から既設負荷装置３に接続されている既設電源ケーブル６の被覆をカッターナイフ等で切り取り導電部７を露出する。仮設電源装置４からの仮設電源ケーブル8の先端の被覆を切り取り導電部9を露出する。図３は露出した双方の導電部７と導電部9をボルトコネクタ10で締め付けて接続している。      
なお、この種従来技術に関連するものとしては、例えば、              
（特許文献１、２、３、４参照）。
【特許文献１】特開  平０９−２８４９７１
【特許文献２】特開  平０９−２８４９７２
【特許文献３】特開  ２００１−２６６９７１
【特許文献４】実開  平０６−８０３３９
【発明の開示】
【発明が解決しようとする課題】
【０００４】
従来の方法では既設電源ケーブル６は充電中であり、被覆を切り取る為に刃物を使用するなど大きな危険が伴う。既設電源装置１から既設負荷装置３に接続されている既設電源ケーブル６は他のケーブルと同一場所著に収納されている事が多い。その為、既設電源ケーブル６は容易に作業が可能な状態に設置されてない場合がある為、非常に時間を消費する。
本発明は、前記従来技術の課題に鑑みて為されたものであり、その目的は、仮設電源装置を盤内端子台に安全にかつ容易に接続することにある。
【課題を解決するための手段】
【０００５】
前記課題を達成するために、本発明は、電磁式として、電源側ケーブルに連結された電源側ケーブル接続端子と負荷側ケーブルに連結された負荷側ケーブル端子とを結ぶ導電部に前記電源側ケーブル接続端子を締結する電源側締結部材または前記導電部に前記負荷側ケーブル端子を締結する負荷側締結部材のうち一方の締結部材を包囲して前記電源側ケーブル接続端子または前記負荷側ケーブル端子に装着される導電接触子と、前記電源側締結部材または前記負荷側締結部材のうち前記導電接触子に包囲された締結部材とともに磁気回路の一要素として構成されて、前記導電接触子に往復動自在に固定された電磁接触子と、前記電磁接触子に配設されて直流電源から直流電力の供給を受けたときに前記磁気回路の各要素に電磁力を付与する電磁コイルとをそれぞれ一対ずつ備え、前記電磁コイルから前記電磁接触子に電磁力が付与されたときに、前記電磁接触子の移動により、前記導電接触子を前記電源側ケーブル端子または前記負荷側ケーブル端子に圧着させて、前記直流電源からの直流電力を前記導電接触子を介して前記電源側ケーブル端子または前記負荷側ケーブル端子に供給してなる仮設電源接続装置を構成したものである。
また、本発明は、ねじ式として、電源側ケーブルに連結された電源側ケーブル接続端子と負荷側ケーブルに連結された負荷側ケーブル端子とを結ぶ導電部に前記電源側ケーブル接続端子を締結する電源側締結部材または前記導電部に前記負荷側ケーブル端子を締結する負荷側締結部材の頭部に締結される複数の接続端子を備え、前記各接続端子には、直流電源に接続された仮設電源ケーブルを締結するための締結部が形成されており、前記直流電源からの直流電力を前記仮設電源ケーブルと前記接続端子を介して前記電源側ケーブル端子または前記負荷側ケーブル端子に供給してなる仮設電源接続装置を構成したものである。
この既設電源ケーブル６の被覆を切る事無く、既設電源装置１に設置されている盤内端子台5に電磁式仮設電源接続端子若しくはネジ式仮設電源接続端子のどちらかを使用して仮設電源装置４を接続する。
【発明の効果】
【０００６】
本発明によれば、大きな危険が無くなり、作業時間の大幅な短縮が出来る。
【発明を実施するための最良の形態】
【０００７】
以下、本発明の実施の形態を図面に基づいて説明する。図４は、本発明の第１実施例を示す図であって、（ａ）は、電磁式仮設電源接続端子の上面図、（ｂ）は、縦断面図である。図４（ａ）、（ｂ）において、電磁式仮設電源接続装置は、導電性の材料、例えば、銅を用いて円筒状に形成された導電接触子１５と、磁性材料を用いて、略円柱状に形成された電磁接触子１３と、電磁接触子１３に内蔵された電磁コイル１１と、電磁接触子１３とともに磁気回路を構成する磁性体１４を備えている。電磁接触子１３は小径部１３ａが導電接触子１５内に往復動自在に挿入され、大径部１３ｂがスプリング１６を介して導電接触子１５の軸方向端部に連結されている。スプリング１６は、大径部１３ｂに対して小径部１３ａから離れる方向の弾性力を付与するようになっている。電磁コイル１１のコイル端末には一対の引き出し線１２が接続されており、各引き出し線１２はそれぞれ直流電源のプラス端子とマイナス端子に接続されるようになっている。
電磁コイル１１に直流電源からの直流電力が各引き出し線１２を介して供給されると、電磁コイル１１から磁気回路に属する電磁接触子１３と磁性体１４に電磁力が付与され、電磁接触子１４は、スプリング１６の弾性力に抗して磁性体１４に吸引される。
【０００８】
図５は既設電源装置１で盤内端子台５に電磁式仮設電源接続端子１７を取り付け、電流の流れを説明する為の状態図である。盤内端子台５は絶縁体であるが、導電部２１に接続されている電源側ケーブル１８と負荷側ケーブル１９は同電位で接続されている。当然の事ながら、プラスとマイナス側は絶縁されている。            
盤内端子台５.へ電源側ケーブル１８と負荷側ケーブル１９及び電磁式仮設電源接続端子１７が接続された図である。仮設電源装置４から仮設電源ケーブル２０に電源が供給され、電磁式仮設電源接続端子１７に導かれ、盤内端子台５の導電部２１に接続される。電源側ケーブル１８と負荷側ケーブル１９は盤内端子台５の導電部２１に圧着端子２２を経由してプラス、マイナスの電源が各々電気的に接続されている。圧着端子２２は負荷側ケーブル接続端子または電源側ケーブル接続端子として電源側ケーブル１８と負荷側ケーブル１９と電気的に接続されている。ボルト２３.は電源側締結部材あるいは負荷側締結部材として、圧着端子２２を盤内端子台５の導電部２１に締め付けて接続する為のものである。技術分野でも説明したように、電源側ケーブル１８には、停電があっても負荷側ケーブル１９に電源が遮断されないように既設電源装置１の充電装置で常に充電されている蓄電池２が接続されている。
【０００９】
図６は電磁式仮設電源接続端子１７を盤内端子台５取り付けた状態の単体の断面を表した概略構造図である。（a）は上面図、（b）は電磁接触子１３がボルト２３に吸引された時の断面、（c）は電磁接触子１３盤内端子台５に添えただけの断面図である。この図から電流の流れを説明する。仮設電源装置４から供給された電流は導電接触子１５に供給され、電流は圧着端子２２から盤内端子台５の導電部２１を経由して電源側ケーブル１８と負荷側ケーブル１９の両方に供給される。この為、電源側ケーブル１８の電源が遮断されても負荷側ケーブル１９は仮設電源装置４からの供給で負荷の電源は遮断される事はない。
【００１０】
図７はネジ式仮設電源接続端子の概略構造図であり、（a）は上面図（b）は側面図である。各部の機能の説明をする。仮設電源装置４から供給された電源をネジ式仮設電源接続端子２４へ接続する圧着端子取付面２５である。負荷側ケーブル接続端子または電源側ケーブル接続端子としての圧着端子を取り付けるボルト取付ネジ穴２６である。盤内端子台５の特殊ダイス３０でねじ切りされたボルト２３へ取り付ける為のネジ部２７である。盤内端子台５の導電部２１へ接続される接触面２８である。供回り防止六角辺２９は圧着端子接続ネジ２６を取り付ける際、ネジ式仮設電源接続端子２４が供回りしないように工具で防止する為のものである。
【００１１】
図８は既設電源盤内１で盤内端子台５にはネジ式仮設電源接続装置端子３０を取り付け電流の流れを説明する為の状態図である。盤内端子台５は絶縁体であるが、導電部２１に接続されている電源側ケーブル１８と負荷側ケーブル１９は同電位で接続されている。当然の事ながら、プラスとマイナス側は絶縁されている。盤内端子台５へ電源側ケーブル１８と負荷側ケーブル１９が接続された図である。仮設電源装置４から仮設電源ケーブル２０に電源が供給され、ネジ式仮設電源接続端子３０に導かれ、盤内端子台５の導電部２１に接続される。電源側ケーブル１８と負荷側ケーブル１９は盤内端子台５の導電部２１に圧着端子２２を経由してプラス、マイナスの電源が各々電気的に接続されている。ボルト２３は圧着端子２２と盤内端子台５の導電部２１を締め付けて接続する為のものである。技術分野でも説明したように、電源側ケーブル１８には停電などがあっても負荷側ケーブル１９に電源が遮断されないように既設電源装置１の充電装置で常に充電されている蓄電池が接続されている。
【００１２】
図９はネジ式仮設電源接続装置端子２４を盤内端子台５に取り付けた状態の単体の断面図を表した概略構造図である。（a）は上面図（ｂ）は断面図である。この図から電流の流れを説明する。仮設電源装置４から供給された電流は圧着端子２２を経由し、ネジ式仮設電源接続端子２４に供給される。盤内端子台５の導電部２１を経由して電源側ケーブル１８と負荷側ケーブル１９の両方に供給される。この為、電源側ケーブル１８が遮断されても負荷側ケーブル１９は仮設電源装置４からの供給で負荷の電源が遮断される事はない。
【００１３】
図１０は盤内端子台５のボルト２３に特殊ダイス３０でネジを切る状態を表現したものである。特殊だいす３０を取り付けるダイスホルダー３１、それを回転させるハンドル３２で構成されている。ハンドル３２を少し上から押しながらネジ方向に回転させる事で完成する。
【００１４】
図１１は特殊ダイス３０の概略構造図である。（a）は上面図（b）は側面図、（c）は下面図である。ダイスの刃３３は六角ボルト２３と同期しないように、８分割された刃になっている。ダイスホルダー３１の回転を伝えるフック３４である。
【００１５】
図１２はダイスホルダー３１の構造図である。（a）は正面図（b）は下面図である。ハンドルを挿入してダイスホルダー３１を回転させつハンドル穴３５です。特殊ダイス３０の本体に挿入するインサート部３７です。特殊ダイス３０を回転すべりを止める為のストッパー３８です。特殊ダイス３０のフック３４と結合する。
【図面の簡単な説明】
【００１６】
【図１】既設電源装置、既設蓄電池、既設負荷装置及び仮設電源装置との概略構成図である。
【図２】従来の仮設電源装置を取り付けの手順を説明する図である。
【図３】従来の仮設電源装置を取り付けの手順を説明する図である。
【図４】本発明に係る電磁式仮設電源接続装置の概略構成を示す図であって、（ａ）は、電磁式仮設電源接続装置の上面図、（ｂ）は、縦断面図である。電磁式仮設電源接続端子の構造図である。
【図５】電磁式仮設電源接続端子を盤内端子台に取り付け、電流の流れを説明する図である。
【図６】電磁式仮設電源接続端子を盤内端子台に取り付けた状態の断面図である。
【図７】ネジ式仮設電源接続端子の構造図である。
【図８】ネジ式仮設電源接続端子を盤内端子台に取り付け、電流の流れを説明する図である。
【図９】ネジ式仮設電源接続端子を盤内端子台に取り付けた状態の断面図である。
【図１０】特殊ダイスで盤内端子台のボルトにネジを切る状態図である。
【図１１】特殊ダイスの構造図である。
【図１２】ダイスホルダーの構造図である。
【図１３】ハンドルの構造図である。
【符号の説明】
【００１７】
１  既設電源装置
２  既設蓄電池
３  既設負荷装置
４  仮設電源装置
５  盤内端子台
６  既設電源ケーブル
７  導電部
８  仮設電源ケーブル
９  導電部
１０  ボルトネクター
１１  電磁コイル
１２  引き出し線
１３  電磁接触子
１４  磁性体
１５  導電接触子
１６  スプリング
１７  電磁式仮設電源接続端子
１８  電源側ケーブル
１９  負荷側ケーブル
２０  仮設電源ケーブル
２１  導電部
２２  圧着端子
２３  ボルト
２４  ネジ式仮設電源接続端子
２５  圧着端子取付面
２６  ボルト取付ネジ穴
２７  ネジ部
２８  接触面
２９  供回り防止六角辺
３０  ネジ式仮設電源接続端子
３１  ダイスホルダー
３２  ハンドル
３３  ダイスの刃
３４  フック
【図１】
2007066780.tif 000003
【図２】
2007066780.tif 000004
【図３】
2007066780.tif 000005
【図４】
2007066780.tif 000006
【図５】
2007066780.tif 000007
【図６】
2007066780.tif 000008
【図７】
2007066780.tif 000009
【図８】
2007066780.tif 000010
【図９】
2007066780.tif 000011
【図１０】
2007066780.tif 000012
【図１１】
2007066780.tif 000013
【図１２】
2007066780.tif 000014
【図１３】
2007066780.tif 000015